(57)【要約】【課題】紙幣識別部は露出させず、紙幣収納部のみを前方へ突出させることにより、防犯上優れた遊技媒体貸出装置を提供する。【解決手段】前面に紙幣投入口１０とその下方に紙幣回収口１２とを備える。紙幣投入口１０の内側に紙幣処理部３、紙幣回収口１２の内側に紙幣収納部４が配置される。紙幣処理部３には、紙幣投入口１０へ投入された紙幣を取り込む紙幣取込機構３０と、取り込まれた紙幣の適否を判別する紙幣識別器５と、適正判別された紙幣を紙幣収納部４へ搬送する紙幣搬送機構６とが設けられている。紙幣収納部４には、紙幣回収口１２に対して進退可能に配備される金庫４０と、金庫４０を紙幣回収口１２に向けて付勢する付勢機構と、紙幣回収口１２に開閉可能に設けられる蓋２と、蓋２を閉じた状態に保持し外部からの解錠操作により解錠動作して蓋２を開放可能とするロック機構とが設けられている。【選択図】図４
2007135712.tif 000002
【特許請求の範囲】
【請求項１】
遊技の実行に遊技媒体を介在させる遊技機に隣接した状態で配備される遊技媒体貸出装置であって、
前面に紙幣投入口とその下方または上方に紙幣回収口とを備えるとともに、前記紙幣投入口の内側に紙幣処理部、前記紙幣回収口の内側に紙幣収納部がそれぞれ配置され、
前記紙幣処理部には、紙幣投入口へ投入された紙幣を取り込む紙幣取込機構と、取り込まれた紙幣の適否を判別する紙幣識別器と、適正判別された紙幣を前記紙幣収納部へ搬送する紙幣搬送機構とが設けられ、
前記紙幣収納部には、前記紙幣回収口に対して進退可能に配備され前記紙幣処理部より搬送された紙幣を取り込みかつ収納することが可能な金庫と、前記金庫を前記紙幣回収口に向けて付勢する付勢機構と、前記紙幣回収口に開閉可能に設けられる蓋と、蓋を閉じた状態に保持し解錠動作により蓋を開放可能とするロック機構とが設けられて成る遊技媒体貸出装置。
【請求項２】
前記ロック機構は、遠隔制御装置からの解錠操作信号を受信することにより解錠動作するものである請求項１に記載された遊技媒体貸出装置。
【請求項３】
前記蓋は、前方へ起伏して開閉するように下端部が金庫の前端の下端部に枢支されている請求項１に記載された遊技媒体貸出装置。
【発明の詳細な説明】
【技術分野】
【０００１】
この発明は、パチンコホールなどの遊技場において、パチンコ玉や遊技用メダルのような遊技媒体を貸し出すのに用いられる遊技媒体貸出装置に関し、特にこの発明は、特に、パチンコ機やスロットマシンなどの遊技機に隣接した状態で配備される遊技媒体貸出装置に関する。
【背景技術】
【０００２】
この種の遊技媒体貸出装置は、一般に「台間機」と呼ばれ、貨幣の投入を受け付けて遊技媒体を直接放出するもの、貨幣の投入を受け付けて磁気カードのような記録媒体を発行した後、その記録媒体を受け付けて隣接する遊技機へ遊技媒体の貸出処理を行うもの、貨幣の投入を受け付けて隣接する遊技機へ遊技媒体の貸出処理を行うものなど、種々の方式のものが提案されている。
【０００３】
ところで、遊技場において、各遊技媒体貸出装置で受け付けられた紙幣を回収するのに、従来、紙幣を紙幣搬送機により島端の金庫まで搬送して一括して回収する方式と、各遊技媒体貸出装置の内部に設けられた金庫に紙幣を取り込んで個別に回収する方式とがある。後者の方式では、係員は各遊技媒体貸出装置から随時金庫を取り出し、金庫にストックされた紙幣を回収する作業が必要である。先般、その種の回収作業を効率化するため、係員の遠隔操作により遊技媒体貸出装置の前面より金庫を引き出して紙幣の回収を行うようにしたものが提案された（例えば、特許文献１参照）。
【０００４】
【特許文献１】特開２００５−１２４６３８号公報
【０００５】
この遊技媒体貸出装置では、前面に紙幣投入口を有する紙幣収納ユニットが前後方向に移動可能に組み付けられている。前記紙幣収納ユニットの内部には紙幣識別部と紙幣収納部（金庫）とが設けられている。遠隔操作により解錠操作信号が送られてくると、解錠動作して紙幣収納ユニットが前方へ突出する。
【発明の開示】
【発明が解決しようとする課題】
【０００６】
しかしながら、上記した構成の遊技媒体貸出装置では、紙幣の回収を可能かつ容易とするために、紙幣収納部が見える位置まで紙幣収納ユニットを前方へ突出させ。そのため、紙幣識別部および紙幣収納部を含む構成全体が衆目に晒され、内部機構の主要部が露出する結果となり、防犯上の観点から決して好ましいものではなかった。
【０００７】
この発明は、上記した問題に着目してなされたもので、紙幣識別部は露出させず、紙幣収納部のみを前方へ突出させることにより、防犯上優れた遊技媒体貸出装置を提供することを目的とする。
【課題を解決するための手段】
【０００８】
この発明による遊技媒体貸出装置は、遊技の実行に遊技媒体を介在させる遊技機に隣接した状態で配備されるものであり、前面に紙幣投入口とその下方または上方に紙幣回収口とを備えるとともに、前記紙幣投入口の内側に紙幣処理部、前記紙幣回収口の内側に紙幣収納部がそれぞれ配置されている。
前記紙幣処理部には、紙幣投入口へ投入された紙幣を取り込む紙幣取込機構と、取り込まれた紙幣の適否を判別する紙幣識別器と、適正判別された紙幣を前記紙幣収納部へ搬送する紙幣搬送機構とが設けられ、前記紙幣収納部には、前記紙幣回収口に対して進退可能に配備され前記紙幣処理部より搬送された紙幣を取り込みかつ収納することが可能な金庫と、前記金庫を前記紙幣回収口に向けて付勢する付勢機構と、前記紙幣回収口に開閉可能に設けられる蓋と、蓋を閉じた状態に保持し解錠動作により蓋を開放可能とするロック機構とが設けられている。
【０００９】
この発明の上記した構成において、紙幣回収口は紙幣投入口のすぐ真下に設けるのが望ましいが、適当な距離を隔てて設けてもよく、また、紙幣投入口の上方側に設けてもよい。「紙幣識別器」は一般にビルバリと呼ばれ、紙幣の真偽や金種を判別する。「紙幣取込機構」および「紙幣搬送機構」はローラ、ベルトなどを用いて構成される。また、「付勢手段」はばねや弾性体などを用いて構成される。
【００１０】
上記した構成の遊技媒体貸出装置において、紙幣投入口に紙幣が投入されると、その紙幣は紙幣処理部の紙幣取込機構により内部に取り込まれ、紙幣識別器により真偽や金種が判別される。適正判別された紙幣は紙幣搬送機構によりその下方または上方の紙幣収納部へ搬送される。紙幣処理部より搬送されてきた紙幣は金庫に取り込まれて収納される。
つぎに、金庫に収納された紙幣を回収するには、外部からの解錠操作信号などによりロック機構を解錠動作させ、蓋を開放可能とする。金庫は付勢機構により紙幣回収口に向けて付勢されているので、解錠によって蓋が押し開かれて金庫が紙幣回収口より突出する。これにより金庫から紙幣を回収することが可能となる。
【００１１】
この発明の好ましい実施態様においては、前記ロック機構は、遠隔制御装置からの解錠操作信号を受信することにより解錠動作するものである。この実施態様によると、鍵を鍵穴へ差し込んで回すような操作を行うことなく、遠隔操作によりロック解除して金庫を引き出すことができるので、紙幣の回収作業を効率化できる。
なお、ロック機構は、必ずしも遠隔操作によって解錠するものに限らず、鍵操作により解錠するものを用いることもできる。また、各遊技媒体貸出装置が接続される管理装置において、全てまたは一部の遊技媒体貸出装置へ解錠操作信号を送信して解錠させることもできる。
【００１２】
また、この発明の好ましい実施態様においては、前記蓋は、前方へ起伏して開閉するように下端部が金庫の前端の下端部に枢支されている。この実施態様によると、蓋は金庫の進退動作と一体に開閉動作させることができる。また開放時、蓋は金庫によって支持されるので、蓋を紛失するおそれもない。
【発明の効果】
【００１３】
この発明によると、紙幣識別器は露出させず、金庫のみを前方へ突出させるので、紙幣処理部および紙幣収納部を含む構成全体が衆目に晒されることがなく、内部機構の主要部が露出するのを防止でき、防犯上優れた遊技媒体貸出装置が得られる。
【発明を実施するための最良の形態】
【００１４】
図１および図２は、この発明の一実施例である遊技媒体貸出装置の外観とその構成を示すもので、図１が稼働時の状態を、図２が紙幣回収時の状態を、それぞれ示している。
図示例の遊技媒体貸出装置は、パチンコ機やスロットマシンのような遊技機（図示せず。）に一方または両方の側面が隣接した状態で配備されるもので、紙幣ａの投入を受け付けて記録媒体ｂを発行して放出した後、その記録媒体ｂの挿入を受け付けて隣接する左右いずれかの遊技機へ遊技媒体の貸出処理を行うものである。
【００１５】
前記記録媒体ｂはＩＣチップが埋め込まれた棒状のスティック体であり、この記録媒体ｂを後述する記録媒体挿排口１４Ａ，１４Ｂへ挿入すると、前記ＩＣチップと遊技媒体貸出装置内のリードライター９７Ａ，９７Ｂ（図９参照）とはアンテナ（図示せず。）を介して貸出情報の送受信が可能となる。
なお、この発明は、紙幣の投入を受け付けて遊技媒体を直接外部へ放出する方式のものや、紙幣の投入を受け付けて記録媒体を発行することなく隣接する遊技機へ直接遊技媒体を貸し出す方式のものにも適用できる。また、記録媒体ｂはスティック状のものに限らず、カード状のもの、メダル状のものなど、種々の形態のものを用いることができる。
【００１６】
図示例の遊技媒体貸出装置は、縦に長く幅の狭い筐体１を有し、筐体１の前面に、紙幣ａを縦向きにして受け付けるスリット状の紙幣投入口１０と、矩形状の蓋２で塞がれた貨幣回収口１２とが設けられている。前記蓋２は、図２に示すように、前方への起伏により開閉するもので、蓋２の下端部が後述する金庫４０の前端の下端部にピン４３により枢支されている。
【００１７】
前記紙幣回収口１２の下方には、右隣の遊技機で遊技媒体の貸出を受けるために操作される第１の操作部１３Ａと、左隣の遊技機で遊技媒体の貸出を受けるために操作される第２の操作部１３Ｂとが設けられている。
第１、第２の各操作部１３Ａ，１３Ｂには、スティック状の記録媒体ｂの出し入れを行うための記録媒体挿排口１４Ａ，１４Ｂと、遊技機を指定するために紙幣の投入前に押される指定ボタン１５Ａ，１５Ｂと、隣の遊技者からの視線を遮るための目隠し１６Ａ，１６Ｂとがそれぞれ設けられている。なお、図中、１８は紙幣ａが受付可能かどうかなどを表示するためのランプ、１７は情報を表示するための表示器であり、この表示器１７の背後には、遠隔制御装置１００からの解錠操作信号を受光する受光部が配置されている。また、１１はシリンダ錠の鍵挿入孔であり、停電時などに鍵を差し込んで蓋２の開放を行うためのものである。
【００１８】
この実施例の遊技媒体貸出装置は、隣接する左右の遊技機に対して遊技媒体の貸出処理を行うために、筐体１の後面に、図３に示すように、左右の遊技機との間でそれぞれ信号のやりとりを行うためのハーネスケーブル１１０Ａ，１１０Ｂが引き出されている。なお、ハーネスケーブル１１０Ａ，１１０Ｂは、垂れ下がらないようにするため、適所が紐状の吊り具１１により吊持されている。
【００１９】
前記筐体１の内部には、図４に示すように、紙幣投入口１０の位置に対応させて紙幣処理部３が、紙幣回収口１２の位置に対応させて紙幣収納部４が、それぞれ配置されている。なお、図４は、筐体１の側壁１ａを破断することにより筐体１の内部を示したものである。
前記紙幣処理部３には、紙幣投入口１０へ投入された紙幣ａを紙幣処理部３に取り込む紙幣取込機構３０と、取り込まれた紙幣ａの適否を判別する紙幣識別器５と、適正判別された紙幣ａを前記紙幣収納部４へ搬送する紙幣搬送機構６とが設けられている。
【００２０】
前記紙幣取込機構３０は、モータ３１を駆動源とするものであり、紙幣ａの上端部を左右から挟む左右一対のベルト３２，３２と、紙幣ａの下端部を左右から挟む左右一対のベルト３３，３３と、モータ３１の回転を一方（例えば右側）のベルト３２，３３に伝達するための伝達機構３４とを含んでいる。各ベルト３２，３３を駆動する駆動軸３５上にローラ３６が装着されており、前記ローラ３６とモータ３１により駆動されるローラ３７との間に前記伝達機構３４の伝導ベルト３８が掛け渡されている。なお、左側のベルト３２，３３は走行自由な状態にあり、右側のベルト３２，３３との接触により従動するが、左側のベルト３２，３３にも駆動をかけてもよい。
【００２１】
前記紙幣識別器５は、上方のベルト３２の近傍と下方のベルト３３の近傍とにそれぞれ配置された磁気ヘッド５１，５２を有しており、各磁気ヘッド５１，５２が読み取った紙幣の磁気パターンによって紙幣の真偽および金種を判別する。
なお、図中、Ｓ１〜Ｓ３は光電センサより成る位置検出器であり、位置検出器Ｓ１，Ｓ２は紙幣ａが紙幣投入口１０へ挿入されたことを検出し、位置検出器Ｓ３は紙幣ａが終端に達したことを検出する。位置検出器Ｓ１，Ｓ２が紙幣ａを検出すると、紙幣取込機構３０が始動する。また、位置検出器Ｓ３が紙幣ａを検出すると、紙幣取込機構３０の駆動が停止し、紙幣搬送機構６が始動する。なお、不適正であると判断された紙幣は紙幣投入口１０へ返却される。
【００２２】
前記紙幣搬送機構６は、モータ６０を駆動源とするもので、モータ６０の回転が第１の伝導ベルト６１により伝達される上方位置の駆動軸６２と、さらに第２の伝導ベルト６３により伝達される下方位置の駆動軸６４と、各駆動軸６２，６４上にそれぞれ装着される複数個づつの駆動ローラ６５，６６と、各駆動ローラ６５，６６に対向位置させる従動ローラ６７，６８とで構成されている。前記従動ローラ６７は、図５に示すように、駆動ローラ６５との間で紙幣を挟んで紙幣収納部４へ搬送するもので、駆動ローラ６５に対して接近、離間可能に構成されている。なお、図示していないが、各従動ローラ６８も駆動ローラ６５に対して接近、離間が可能である。
【００２３】
前記紙幣収納部４には、図６に示すように、前記紙幣処理部３から搬送されてきた紙幣ａを取り込みかつ収納することが可能な金庫４０と、前記金庫４０を前記紙幣回収口１２に向けてバネ力により付勢する付勢機構７と、前記紙幣回収口１２に開閉可能に設けられる蓋２と、蓋２を閉じた状態に保持し遠隔制御装置１００による解錠操作によって解錠動作して蓋２を開放可能な状態にするロック機構８とが設けられている。
【００２４】
前記金庫４０は、図２に示すように、左右の支持板４１，４１間に複数枚の紙幣ａを縦向きの姿勢で積層して収納することが可能に構成されており、前記紙幣処理部３から搬送されてきた紙幣ａを取り込むことが可能なように上面が開放され、また、前部から紙幣を取り出すことが可能なように前面が開放されている。なお、金庫４０の内部には、図示していないが、紙幣を幅寄せして積層するための機構が組み込まれている。
この金庫４０は、水平な床板部１９上に前後方向へスライド自由に支持され、前記紙幣回収口１２に対して進退可能となっている。前記筐体１の両側壁１ａの内側には、左右の側板部２２，２２がそれぞれ設けられ、各側板部２２にスライド溝２３がそれぞれ形成されるとともに、各スライド溝２３に金庫４０の両側面に突設された突軸２４がそれぞれスライド自由に係合されている。
【００２５】
前記蓋２はその下端部が金庫４０の前端の下端部に枢支されており、図６に示す金庫収納時は金庫４０の前端は蓋２の手前に位置し、また、図７に示す回収時は金庫４０の全長のほぼ半分近くが紙幣回収口１２より突き出る。
【００２６】
前記した左右の側板部２２にはバネ固定部７１がそれぞれ設けてあり、各バネ固定部７１と左右の各突軸２４との間に引っ張りバネ７０がそれぞれ張設されている。各引っ張りバネ７０は、前記金庫４０を前記紙幣回収口１２に向けて付勢するための付勢機構７を構成している。
【００２７】
前記ロック機構８は、蓋２の内面の上端部両側に設けられた左右の係合凹部２１，２１と、昇降動作により上端のフック部８１が各係合凹部２１，２１に係脱する左右一対の中空のロック棒８０，８０と、ロック棒８０，８０の中空内部に上端部が挿入されロック棒８０を上下動自由に支持する左右の支持軸８２と、各ロック棒８０を上方へそれぞれ付勢する左右の圧縮バネ８３と、揺動により前記支持軸８２を上下動させる左右の揺動部材８４と、各揺動部材８４を揺動させる左右のソレノイド８５とで構成されている。各ソレノイド８５は前記床板部１９上に設置されている。
【００２８】
蓋２を閉じた図６の金庫収納状態のとき、左右の揺動部材８４は起き上がり、各ロック棒８０のフック部８１は左右の係合凹部２１にそれぞれ係合し、蓋２は閉じた状態に保持される。遠隔制御装置１００からの解錠操作信号を受信したとき、左右のソレノイド８５が駆動されて揺動部材８４が揺動し、各ロック棒８０が引き下げられてフック部８１が係合凹部２１より脱出する。これにより蓋２は付勢機構７により付勢された金庫４０によって押し開かれる（図７）。
なお、金庫４０を押し込んで蓋２を閉じると、係合凹部２１の近傍に形成されたテーパ状の押圧面８６によりロック棒８０のフック部８１が圧縮バネ８３のバネ力に抗して押し下げられ、その後、フック部８１が圧縮バネ８３の復元力を受けて係合凹部２１に係合する。これにより蓋２は閉じた状態に保持される。
なお、図示していないが、蓋２の開閉状態は、筐体１と蓋２との間に配置される開閉検知センサにより検出されるもので、その検出信号は後述するメイン基板９を介して記録媒体管理装置に送信されて管理される。
【００２９】
図８は、上記した遊技媒体貸出装置および遠隔制御装置１００の電気的構成の概略を示している。同図中、９はメイン基板であり、装置全体の制御を実行するメインＣＰＵ９０が実装されている。９１は受光基板であり、前記受光部に配備された受光素子９２と、メインＣＰＵ９０との間で信号のやり取りを行うワンチップマイクロプロセッサである周辺機器接続制御用ＩＣ９３とが実装されている。メイン基板９と受光基板９１とにはそれぞれコネクタ９４．９５が設けてある。コネクタ９４，９５間はハーネスケーブル９６で接続され、周辺機器接続制御用ＩＣ９３とメインＣＰＵ９０とが接続される。
【００３０】
前記遠隔制御装置１００は、周辺機器接続制御用ＩＣ１０２により駆動される発光素子１０１を備えており、解錠キー１０３を押すと、解錠操作信号が前記受光素子９２に向けて送出される。なお、図中、１０４は他の機能キーである。
前記解錠操作信号には、送信データとして解錠コードと店コードとが含まれている。遊技媒体貸出装置では、メインＣＰＵ９０がコード照合を行い、それが一致していれば、ロック機構８に対して解錠動作を実行させる。なお、セキュリティの向上をはかるため、解錠コードは暗号化するのが望ましい。
【００３１】
図９は、遊技媒体貸出装置のさらに詳細な回路構成を示している。前記したメイン基板９には、前記紙幣識別器５や、第１、第２の各操作部１３Ａ，１３Ｂの記録媒体挿排口１４Ａ，１４Ｂに挿入された記録媒体に対する情報の読み書きを行うための記録媒体リードライター９７Ａ，９７Ｂなどが接続されている。また、メイン基板９は中継基板９９を介してホールコンピュータ、記録媒体管理装置、左右の遊技機などに接続されており、例えば、紙幣ａの投入を受け付けると紙幣受付信号がホールコンピュータへ送信され、また、記録媒体ｂが発行されると記録媒体に関わる各種情報が記録媒体管理装置へ送信される。
さらに、閉店時などの紙幣回収時、記録媒体管理装置から各遊技媒体貸出装置へ解錠操作信号を一斉に送信することも可能であり、これにより全ての遊技媒体貸出装置において蓋２が開いて金庫４０が一斉に突出する。なお、図中、９８は電源基板であり、メイン基板９の対して電源を供給する。
【００３２】
上記した構成の遊技媒体貸出装置において、紙幣投入口１０に紙幣ａが投入されると、その紙幣ａは紙幣処理部３の紙幣取込機構３０により内部に取り込まれ、紙幣識別器５により真偽および金種の判別が行われる。適正判別された紙幣ａは紙幣搬送機構６によりその下方位置の紙幣収納部４へ搬送され、紙幣収納部４の金庫４０に取り込まれて収納される。
【００３３】
つぎに、金庫４０に収納された紙幣ａを回収するには、遠隔制御装置１００の解錠キー１０３を押し、解錠操作信号を前記受光素子９２に向けて送出する。遠隔制御装置１００からの解錠操作信号を受光部１１で受信すると、ロック棒８０，８０が駆動し、各係合凹部２１，２１より脱出する。このとき、金庫４０は付勢機構７により紙幣回収口１２に向けて付勢されているので、蓋２は金庫４０によって押し開かれ、金庫４０が紙幣回収口１２より突出する。これにより金庫４０から紙幣ａを回収することが可能となる。
【図面の簡単な説明】
【００３４】
【図１】この発明の一実施例である遊技媒体貸出装置の外観を示す斜視図である。
【図２】蓋が押し開かれた状態を示す遊技媒体貸出装置の斜視図である。
【図３】遊技媒体貸出装置の背面図である。
【図４】紙幣処理部および紙幣収納部の内部構造を示す側壁の一部を破断した側面図である。
【図５】紙幣搬送機構における駆動ローラと従動ローラとを示す断面図である。
【図６】蓋が閉まった状態を示す側壁の一部を破断した側面図である。
【図７】蓋が開いた状態を示す側壁の一部を破断した側面図である。
【図８】遊技媒体貸出装置および遠隔制御装置の電気的構成の概略を示すブロック図である。
【図９】遊技媒体貸出装置の回路構成を示すブロック図である。
【符号の説明】
【００３５】
２    蓋
３    紙幣処理部
４    紙幣収納部
５    紙幣識別器
７    付勢機構
８    ロック機構
１０  紙幣投入口
１２  紙幣回収口
３０  紙幣取込機構
４０  金庫
【図１】
2007135712.tif 000003
【図２】
2007135712.tif 000004
【図３】
2007135712.tif 000005
【図４】
2007135712.tif 000006
【図５】
2007135712.tif 000007
【図６】
2007135712.tif 000008
【図７】
2007135712.tif 000009
【図８】
2007135712.tif 000010
【図９】
2007135712.tif 000011